(57)【要約】【課題】小型軽量化、光学性能の維持およびコストの低廉化が可能な超広角の撮像レンズを提供すること。【解決手段】物体側から、物体側に凸の負のパワーのメニスカスレンズとされた第１レンズ２、像面側に凹の負のパワーの第２レンズ３、物体側に凸の正のパワーの第３レンズ４、絞り５、像面側に凸の正のパワーの第４レンズ６を配設し、0≦d２/fl≦2.0、0≦d４/fl≦2.0、-4.5≦f２/fl≦-1.5、-4.5≦（r５-r６）/（r５+r６）≦-0.2の各条件式（但し、fl：レンズ系全体の焦点距離、f２：第２レンズ３焦点距離、d２：第１レンズ２と第２レンズ３との間隔、d４：第２レンズ３と第３レンズ４との間隔）を満足すること。【選択図】図１
2007206516.tif 000002
【特許請求の範囲】
【請求項１】
物体側から像面側に向かって順に、物体側に凸面を向けた負のパワーを有するメニスカスレンズとされた第１レンズ、像面側に凹面を向けた負のパワーを有する第２レンズ、物体側に凸面を向けた正のパワーを有する第３レンズ、絞り、および像面側に凸面を向けた正のパワーを有する第４レンズを配設し、次の（１）〜（４）の各条件式、
０≦ｄ２／ｆｌ≦２．０      （１）
０≦ｄ４／ｆｌ≦２．０      （２）
−４．５≦ｆ２／ｆｌ≦−１．５      （３）
−４．５≦（ｒ５−ｒ６）／（ｒ５＋ｒ６）≦−０．２      （４）
但し、
ｆｌ：レンズ系全体の焦点距離
ｆ２：第２レンズの焦点距離
ｄ２：光軸上における第１レンズと第２レンズとの間隔
ｄ４：光軸上における第２レンズと第３レンズとの間隔
ｒ５：第３レンズの物体側の面の中心曲率半径
ｒ６：第３レンズの像面側の面の中心曲率半径
を満足することを特徴とする撮像レンズ。
【請求項２】
前記第４レンズの物体側の面が凸面に形成され、かつ、前記第４レンズが、次の（５）に示す条件式、
０．８≦（ｒ８−ｒ９）／（ｒ８＋ｒ９）≦４．０      （５）
但し、
ｒ８：第４レンズの物体側の面の中心曲率半径
ｒ９：第４レンズの像面側の面の中心曲率半径
を満足することを特徴とする請求項１に記載の撮像レンズ。
【請求項３】
前記第４レンズの物体側の面が、中心側から周辺に向かうにしたがって曲率半径が大きくなるような非球面形状に形成されていることを特徴とする請求項２に記載の撮像レンズ。
【請求項４】
前記第２レンズの物体側の面が、中心側から周辺に向かうにしたがって像面側に曲がるような非球面形状に形成されていることを特徴とする請求項１〜３のいずれか１項に記載の撮像レンズ。
【発明の詳細な説明】
【技術分野】
【０００１】
本発明は、撮像レンズに係り、特に、自動車の後方確認用のカメラ等の撮像装置に搭載され、ＣＣＤやＣＭＯＳ等の固体撮像素子の撮像面に広範囲の物体の像を結像させるのに好適な超広角の４枚レンズ構成の撮像レンズに関する。
【背景技術】
【０００２】
近年、自動車に後方確認用のカメラを搭載し、このカメラが撮像した自動車の車外後方の映像を車室内のモニタ上に表示することによって、自動車の後退時の運転操作を支援することが行われるようになった。
【０００３】
この種のカメラでは、ＣＣＤやＣＭＯＳ等の固体撮像素子の撮像面に、広範囲の物体の像を結像させることが必要となるため、このようなカメラに用いる撮像レンズとしては、画角が１３０°を超える超広角の撮像レンズが求められていた。
【０００４】
また、最近では、この種のカメラに対する小型軽量化の要請が高まり、これにともなって、このようなカメラに搭載される超広角の撮像レンズについても、小型かつ軽量であることが求められるようになった。
【０００５】
【特許文献１】特開２００３−２３２９９８号公報
【発明の開示】
【発明が解決しようとする課題】
【０００６】
しかしながら、従来の超広角の撮像レンズは、レンズ枚数が多く、全長が長いものが多かった。このような撮像レンズは、小型軽量化に適さないといった問題点を有していた。
【０００７】
また、小型のものであっても、屈折率分布型レンズのような高価なレンズを用いるためにコストが上昇するといった問題点や、ディストーション等の収差の影響によって光学性能が悪化するといった問題点を有していた。
【０００８】
そこで、本発明は、このような問題点に鑑みなされたものであり、小型軽量化を図りつつも、良好な光学性能を維持することができ、かつ、コストを低廉化することができる超広角の撮像レンズを提供することを目的とするものである。
【課題を解決するための手段】
【０００９】
前述した目的を達成するため、本発明の請求項１に係る撮像レンズの特徴は、物体側から像面側に向かって順に、物体側に凸面を向けた負のパワーを有するメニスカスレンズとされた第１レンズ、像面側に凹面を向けた負のパワーを有する第２レンズ、物体側に凸面を向けた正のパワーを有する第３レンズ、絞り、および像面側に凸面を向けた正のパワーを有する第４レンズを配設し、次の（１）〜（４）の各条件式、
０≦ｄ２／ｆｌ≦２．０      （１）
０≦ｄ４／ｆｌ≦２．０      （２）
−４．５≦ｆ２／ｆｌ≦−１．５      （３）
−４．５≦（ｒ５−ｒ６）／（ｒ５＋ｒ６）≦−０．２      （４）
但し、
ｆｌ：レンズ系全体の焦点距離
ｆ２：第２レンズの焦点距離
ｄ２：光軸上における第１レンズと第２レンズとの間隔
ｄ４：光軸上における第２レンズと第３レンズとの間隔
ｒ５：第３レンズの物体側の面の中心曲率半径
ｒ６：第３レンズの像面側の面の中心曲率半径
を満足する点にある。
【００１０】
そして、この請求項１に係る発明によれば、４枚構成の簡易なレンズ構成を用いることが可能となり、さらに、（１）〜（４）の各条件式を満足するようにすることにより、全長を短くするとともに、第１レンズおよび第２レンズのレンズ径を小さくすることが可能となり、ディストーション、非点収差および像面湾曲の悪化を確実に抑制することが可能となる。
【００１１】
また、請求項２に係る撮像レンズの特徴は、請求項１において、前記第４レンズの物体側の面が凸面に形成され、かつ、前記第４レンズが、次の（５）に示す条件式、
０．８≦（ｒ８−ｒ９）／（ｒ８＋ｒ９）≦４．０      （５）
但し、
ｒ８：第４レンズの物体側の面の中心曲率半径
ｒ９：第４レンズの像面側の面の中心曲率半径
を満足する点にある。
【００１２】
そして、この請求項２に係る発明によれば、更に、第４レンズの物体側の面を凸面に形成し、かつ、第４レンズが（５）の条件式を満足するようにすることにより、ディストーション、非点収差および像面湾曲の悪化をさらに有効に抑制することが可能となる。
【００１３】
さらに、請求項３に係る撮像レンズの特徴は、請求項２において、前記第４レンズの物体側の面が、中心側から周辺に向かうにしたがって曲率半径が大きくなるような非球面形状に形成されている点にある。
【００１４】
そして、この請求項３に係る発明によれば、周辺における非点収差、像面湾曲（−側）および負のディストーションを良好に補正することが可能となる。
【００１５】
さらにまた、請求項４に係る撮像レンズの特徴は、請求項１〜３のいずれか１項において、前記第２レンズの物体側の面が、中心側から周辺に向かうにしたがって像面側に曲がるような非球面形状に形成されている点にある。
【００１６】
そして、この請求項４に係る発明によれば、全長をさらに短くするとともに、第２レンズのレンズ径をさらに小さくすることが可能となり、非点収差および像面湾曲の悪化をさらに有効に抑制することが可能となる。
【発明の効果】
【００１７】
本発明の請求項１に係る撮像レンズによれば、４枚構成の簡易なレンズ構成を用いることができ、さらに、（１）〜（４）の各条件式を満足するようにすることにより、全長を短くするとともに、第１レンズおよび第２レンズのレンズ径を小さくすることができ、ディストーション、非点収差および像面湾曲の悪化を有効に抑制することができる結果、小型軽量化を図りつつも、良好な光学性能を維持することができ、かつ、コストを低廉化することができる超広角の撮像レンズを実現することができる。
【００１８】
また、請求項２に係る撮像レンズによれば、更に、第４レンズの物体側の面を凸面に形成し、かつ、第４レンズが（５）の条件式を満足するようにすることにより、ディストーション、非点収差および像面湾曲の悪化をさらに有効に抑制することができる結果、請求項１に係る撮像レンズの効果に加えて、光学性能にさらに優れた超広角の撮像レンズを実現することができる。
【００１９】
さらに、請求項３に係る撮像レンズによれば、周辺における非点収差、像面湾曲（−側）および負のディストーションを良好に補正することができる結果、請求項２に係る撮像レンズの効果に加えて、光学性能により優れた超広角の撮像レンズを実現することができる。
【００２０】
さらにまた、請求項４に係る撮像レンズによれば、全長をさらに短くするとともに、第２レンズのレンズ径をさらに小さくすることができ、非点収差および像面湾曲の悪化をさらに有効に抑制することができる結果、請求項１〜３のいずれか１項に係る撮像レンズの効果に加えて、さらに小型軽量かつ光学性能に優れた超広角の撮像レンズを実現することができる。
【発明を実施するための最良の形態】
【００２１】
以下、本発明に係る撮像レンズの実施形態について、図１を参照して説明する。
【００２２】
本実施形態における撮像レンズは、画角が１３０°以上の超広角の撮像レンズとされている。
【００２３】
図１に示すように、本実施形態における撮像レンズ１は、物体側から像面側に向かって順に、物体側に凸面を向けた負のパワーを有するメニスカスレンズとされたガラスの第１レンズ２と、像面側に凹面を向けた負のパワーを有する樹脂製の第２レンズ３と、物体側に凸面を向けた正のパワーを有するガラスの第３レンズ４と、絞り５と、像面側に凸面を向けた正のパワーを有する樹脂製の第４レンズ６とを有している。
【００２４】
以下、第１〜第４レンズ２、３、４、６における物体側および像面側の各レンズ面を、それぞれ第１面、第２面と称することとする。
【００２５】
第４レンズ６の第２面６ｂ側には、カバーガラス、ＩＲカットフィルタ、ローパスフィルタ等の各種フィルタ７およびＣＣＤあるいはＣＭＯＳ等の固体撮像素子の受光面である撮像面８がそれぞれ配設されている。なお、フィルタ７は、必要に応じて省略することも可能である。
【００２６】
このように、本実施形態においては、４枚構成（第１〜第４レンズ２、３、４、６）の簡易なレンズ構成によって、超広角の撮像レンズ１を安価に実現することが可能となる。また、各レンズ２、３、４、６を樹脂製とすることによって、撮像レンズ１をさらに安価に製造することができる。
【００２７】
さらに、本実施形態においては、撮像レンズ１が、次の（１）〜（４）の各条件式を満足するようにする。
【００２８】
０≦ｄ２／ｆｌ≦２．０      （１）
０≦ｄ４／ｆｌ≦２．０      （２）
−４．５≦ｆ２／ｆｌ≦−１．５      （３）
−４．５≦（ｒ５−ｒ６）／（ｒ５＋ｒ６）≦−０．２      （４）
但し、（１）〜（３）式におけるｆｌは、レンズ系全体の焦点距離である。また、（３）式におけるｆ２は、第２レンズ３の焦点距離である。さらに、（１）式におけるｄ２は、光軸９上における第１レンズ２と第２レンズ３との間隔である。さらにまた、（２）式におけるｄ４は、光軸９上における第２レンズ３と第３レンズ４との間隔である。また、（４）式におけるｒ５は、第３レンズ４の第１面４ａの中心曲率半径である。さらに、（４）式におけるｒ６は、第３レンズ４の第２面４ｂの中心曲率半径である。
【００２９】
ここで、ｄ２／ｆｌの値が（１）式に示す値（０）よりも小さくなると、第１レンズ２と第２レンズ３を配置することができない。
【００３０】
一方、ｄ２／ｆｌの値が（１）式に示す値（２．０）よりも大きくなると、全長が長くなり過ぎるため、小型軽量化の要請に反することとなる上に、負のディストーション、非点収差および像面湾曲が悪化してしまうこととなる。
【００３１】
従って、本実施形態によれば、ｄ２／ｆｌの値を（１）の条件式を満足するようにすることにより、全長を短くするとともに、第１レンズ２のレンズ径を小さくすることが可能となる。これにより、第１レンズ２のパワーを保ちつつ、第１レンズ２における中心部と周辺部との肉厚差を少なくすることができ、この結果、負のディストーション、非点収差および像面湾曲の悪化を抑制することが可能となる。
【００３２】
なお、ｄ２とｆｌとの関係は、０．３≦ｄ２／ｆｌ≦１．７とされることが、より好ましい。
【００３３】
また、ｄ４／ｆｌの値が（２）式に示す値（０）よりも小さくなると、第２レンズ３と第３レンズ４を配置することができない。
【００３４】
一方、ｄ４／ｆｌの値が（２）式に示す値（２．０）よりも大きくなると、全長が長くなり過ぎるため、小型軽量化の要請に反することとなる上に、負のディストーション、非点収差および像面湾曲が悪化してしまうこととなる。
【００３５】
従って、本実施形態によれば、ｄ４／ｆｌの値を（２）の条件式を満足するようにすることにより、全長をさらに短くするとともに、第２レンズ３のレンズ径を小さくすることが可能となる。これにより、第２レンズ３のパワーを保ちつつ、第２レンズ３における中心部と周辺部との肉厚差を少なくすることができ、この結果、負のディストーション、非点収差および像面湾曲の悪化をさらに有効に抑制することが可能となる。また、第１レンズ２による前述したディストーション、非点収差および像面湾曲の悪化の抑制の効果を高めることが可能となる。
【００３６】
なお、ｄ４とｆｌとの関係は、０．２≦ｄ４／ｆｌ≦１．４とされることが、より好ましい。
【００３７】
さらに、ｆ２／ｆｌの値が（３）式に示す値（−４．５）よりも小さくなると、全長が長くなり過ぎて小型軽量化の要請に反することとなるか、または、第１レンズ２のパワーが強くなり過ぎることによって、負のディストーション、非点収差および像面湾曲の補正が困難となる。
【００３８】
一方、ｆ２／ｆｌの値が（３）式に示す値（−１．５）よりも大きくなると、第２レンズ３における負のディストーション、非点収差および像面湾曲の悪化が大きくなり、補正が困難となる。
【００３９】
従って、本実施形態によれば、ｆ２／ｆｌの値を（３）の条件式を満足するようにすることにより、第１レンズ２よりも絞り５に近い位置にある第２レンズ３でパワーを稼ぐことによって、負のディストーション、非点収差および像面湾曲の悪化を抑えつつ、超広角で、十分なバックフォーカス距離を確保することができるコンパクトなレンズ系を実現することが可能となる。
【００４０】
なお、ｆ２とｆｌとの関係は、−４≦ｆ２／ｆｌ≦−２．５とされることが、より好ましい。
【００４１】
さらにまた、（ｒ５−ｒ６）／（ｒ５＋ｒ６）の値が（４）式に示す値（−４．５）よりも小さくなると、広画角における第３レンズ４の第２面４ｂへの光線入射角度がきつくなるため、非点収差および像面湾曲が悪化することとなる。
【００４２】
一方、（ｒ５−ｒ６）／（ｒ５＋ｒ６）の値が（４）式に示す値（−０．２）よりも大きくなると、広画角における第３レンズ４の第２面４ｂへの光線入射角度がゆるくなり過ぎるため、ディストーションの補正効果が足りなくなるとともに、第２面４ｂの傾斜がきつくなり、製造が困難な形状となる。
【００４３】
したがって、（ｒ５−ｒ６）／（ｒ５＋ｒ６）の値を（４）の条件式を満足するようにすることにより、ディストーションを良好に補正し、非点収差および像面湾曲の悪化をさらに有効に抑制することが可能となる。
【００４４】
なお、（ｒ５−ｒ６）と（ｒ５＋ｒ６）との関係は、−３．５≦（ｒ５−ｒ６）／（ｒ５＋ｒ６）≦−０．５とされることが、より好ましい。
【００４５】
上記構成に加えて、更に、第４レンズ６の第１面６ａを凸面に形成し、かつ、第４レンズ６が次の（５）に示す条件式を満足するようにすることが望ましい。
【００４６】
０．８≦（ｒ８−ｒ９）／（ｒ８＋ｒ９）≦４．０      （５）
但し、（５）式におけるｒ８は、第４レンズ６の第１面６ａの中心曲率半径である。また、（５）式におけるｒ９は、第４レンズ６の第２面６ｂの中心曲率半径である。
【００４７】
ここで、（ｒ８−ｒ９）／（ｒ８＋ｒ９）の値が（５）式に示す値（０．８）よりも小さくなると、広画角における第４レンズ６の第２面６ｂへの光線入射角度がきつくなるため、ディストーション、非点収差および像面湾曲の補正が困難となる。
【００４８】
一方、（ｒ８−ｒ９）／（ｒ８＋ｒ９）の値が（５）式に示す値（４．０）よりも大きくなると、広画角における第４レンズ６の第１面６ａへの光線入射角度がきつくなるため、やはり、ディストーション、非点収差および像面湾曲の補正が困難となる。
【００４９】
したがって、（ｒ８−ｒ９）／（ｒ８＋ｒ９）の値を（５）の条件式を満足するようにすれば、第４レンズ６の第２面６ｂに十分な曲率をもたせることができるため、ディストーション、非点収差および像面湾曲の悪化をさらに有効に抑制することが可能となる。
【００５０】
なお、（ｒ８−ｒ９）と（ｒ８＋ｒ９）との関係は、１．３≦（ｒ８−ｒ９）／（ｒ８＋ｒ９）≦３．１とされることが、より好ましい。
【００５１】
上記構成に加えて、さらに、第４レンズ６の第１面６ａを、中心（光軸９）側から周辺に向かうにしたがって曲率半径が大きくなるような非球面形状に形成することが望ましい。
【００５２】
このようにすれば、第４レンズ６が、パワーを稼ぎながらも、周辺における非点収差、像面湾曲（−側）および負のディストーションを良好に補正することが可能となる。
【００５３】
上記構成に加えて、さらに、第２レンズ３の第１面３ａを、中心側から周辺に向かうにしたがって第２面３ｂ側に曲がるような非球面形状に形成することが望ましい。
【００５４】
このようにすれば、全長をさらに短くするとともに、第２レンズ３のレンズ径（有効径）をさらに小さくすることが可能となり、非点収差および像面湾曲の悪化をさらに有効に抑制することが可能となる。
【実施例】
【００５５】
次に、本発明の実施例について、図２乃至図４７を参照して説明する。
【００５６】
ここで、以下の実施例において、Ｆｎｏは、Ｆナンバー、ωは、画角（対角画角）、ｒ は、光学面の曲率半径（非球面の場合は中心曲率半径）を示す。また、ｄは、次の光学面までの距離を示す。また、ｎｄは、ｄ線（黄色）を照射した場合における各光学系の屈折率、νｄは、同じくｄ線を基準にした各光学系のアッベ数を示す。
【００５７】
ｋ、Ａ、Ｂ、Ｃ、Ｄは、次の（６）式における各係数を示す。すなわち、レンズの非球面の形状は、光軸９方向にＺ軸、光軸９に直交する方向にＸ軸をとり、光の進行方向を正とし、ｋを円錐係数、Ａ、Ｂ、Ｃ、Ｄ、Ｅを非球面係数、ｒを中心曲率半径としたとき次式で表される。
【００５８】
Ｚ（Ｘ）＝ｒ−１ Ｘ２ ／［１＋｛１−（ｋ＋１）ｒ−２ Ｘ２  ｝１／２ ］
＋ＡＸ４  ＋ＢＸ６  ＋ＣＸ８ ＋ＤＸ１０＋ＥＸ１２       （６）
【００５９】
＜第１実施例＞
図２は、本発明の第１実施例を示したもので、本実施例においては、第４レンズ６の第２面６ｂと撮像面８との間に、フィルタ７としてのカバーガラスを配置している。
【００６０】
この第１実施例の撮像レンズ１は、以下の条件に設定されている。
レンズデータ
ｆｌ＝１．１８ｍｍ、ｆ２ ＝−３．９２ｍｍ、Ｆｎｏ＝２．８、ω＝１３４°
面番号                       ｒ         ｄ        ｎｄ         νｄ
（物点）
１（第１レンズ第１面）     17.763       0.550       1.729         54.67
２（第１レンズ第２面）      2.635       1.057
３（第２レンズ第１面）    -33.032       0.550       1.530         55.50
４（第２レンズ第２面）      2.225       0.593
５（第３レンズ第１面）      2.514       1.652       1.847         23.78
６（第３レンズ第２面）     19.219       0.844
７（絞り）                   ∞        0.726
８（第４レンズ第１面）      4.512       1.928       1.530         55.50
９（第４レンズ第２面）     -1.200       0.100
１０（カバーガラス第１面）   ∞        0.700       1.523         58.59
１１（カバーガラス第２面）   ∞
（像面）
面番号   ｋ         Ａ        Ｂ        Ｃ         Ｄ        Ｅ
３      0.00      1.96E-2    3.94E-3   -1.15E-3    1.66E-4   -8.95E-6
４      0.00     -6.94E-3    1.46E-2    5.48E-4   -8.89E-4    4.02E-5
８      0.00     -5.92E-2    4.36E-2   -1.48E-2    8.98E-4    0.00
９     -0.98      2.53E-2   -1.11E-3   -8.89E-3    6.34E-3   -1.19E-3
【００６１】
このような条件の下で、ｄ２／ｆｌ＝０．９０となり、（１）式を満足するものであった。また、ｄ４／ｆｌ＝０．５０となり、（２）式を満足するものであった。さらに、ｆ２／ｆｌ＝−３．３２となり、（３）式を満足するものであった。さらにまた、（ｒ５−ｒ６）／（ｒ５＋ｒ６）＝−０．７７となり、（４）式を満足するものであった。また、（ｒ８−ｒ９）／（ｒ８＋ｒ９）＝１．７２となり、（５）式を満足するものであった。
【００６２】
この第１実施例の撮像レンズ１における球面収差、非点収差およびディストーションを図３に示す。
【００６３】
この結果によれば、球面収差、非点収差およびディストーションのいずれもほぼ満足できる結果となり、十分な光学特性を得ることができることが分かる。
【００６４】
＜第２実施例＞
図４は、本発明の第２実施例を示したもので、本実施例においても、第４レンズ６の第２面６ｂと撮像面８との間に、フィルタ７としてのカバーガラスを配置している。
【００６５】
この第２実施例の撮像レンズ１は、以下の条件に設定されている。
レンズデータ
ｆｌ＝１．１３ｍｍ、ｆ２ ＝−３．４０ｍｍ、Ｆｎｏ＝２．８、ω＝１３４°
面番号                       ｒ         ｄ        ｎｄ         νｄ
（物点）
１（第１レンズ第１面）     21.881       0.550       1.729         54.67
２（第１レンズ第２面）      2.477       0.139
３（第２レンズ第１面）    -16.770       0.553       1.530         55.50
４（第２レンズ第２面）      2.045       1.347
５（第３レンズ第１面）      2.967       2.150       1.847         23.78
６（第３レンズ第２面）    -45.530       0.529
７（絞り）                   ∞        0.841
８（第４レンズ第１面）      3.717       1.729       1.530         55.50
９（第４レンズ第２面）     -1.427       0.100
１０（カバーガラス第１面）   ∞        0.700       1.523         58.59
１１（カバーガラス第２面）   ∞
（像面）
面番号   ｋ         Ａ        Ｂ        Ｃ         Ｄ        Ｅ
３      0.00      1.77E-1   -4.89E-2    9.12E-3   -9.57E-4    3.98E-5
４      0.00      2.46E-1   -4.29E-2   -1.73E-2    6.35E-3   -6.81E-4
８      0.00     -1.15E-1    8.49E-2   -3.23E-2    5.04E-3    0.00
９     -0.58      7.61E-4    2.08E-2   -1.68E-2    7.38E-3   -9.81E-4
【００６６】
このような条件の下で、ｄ２／ｆｌ＝０．１２となり、（１）式を満足するものであった。また、ｄ４／ｆｌ＝１．１９となり、（２）式を満足するものであった。さらに、ｆ２／ｆｌ＝−３．０１となり、（３）式を満足するものであった。さらにまた、（ｒ５−ｒ６）／（ｒ５＋ｒ６）＝−１．１４となり、（４）式を満足するものであった。また、（ｒ８−ｒ９）／（ｒ８＋ｒ９）＝２．２５となり、（５）式を満足するものであった。
【００６７】
この第２実施例の撮像レンズ１における球面収差、非点収差およびディストーションを図５に示す。
【００６８】
この結果によれば、球面収差、非点収差およびディストーションのいずれもほぼ満足できる結果となり、十分な光学特性を得ることができることが分かる。
【００６９】
＜第３実施例＞
図６は、本発明の第３実施例を示したもので、本実施例においても、第４レンズ６の第２面６ｂと撮像面８との間に、フィルタ７としてのカバーガラスを配置している。
【００７０】
この第３実施例の撮像レンズ１は、以下の条件に設定されている。
レンズデータ
ｆｌ＝１．１８ｍｍ、ｆ２ ＝−３．２５ｍｍ、Ｆｎｏ＝２．８、ω＝１３４°
面番号                       ｒ         ｄ        ｎｄ         νｄ
（物点）
１（第１レンズ第１面）     10.399       0.550       1.729         54.67
２（第１レンズ第２面）      2.494       1.578
３（第２レンズ第１面）     -6.464       0.550       1.530         55.50
４（第２レンズ第２面）      2.406       0.304
５（第３レンズ第１面）      2.099       1.575       1.847         23.78
６（第３レンズ第２面）     11.174       0.645
７（絞り）                   ∞        0.701
８（第４レンズ第１面）      4.967       1.997       1.530         55.50
９（第４レンズ第２面）     -1.138       0.100
１０（カバーガラス第１面）   ∞        0.700       1.523         58.59
１１（カバーガラス第２面）   ∞
（像面）
面番号   ｋ         Ａ        Ｂ        Ｃ         Ｄ        Ｅ
３      0.00      4.54E-2   -6.08E-3    6.97E-4   -3.10E-5   -5.21E-7
４      0.00      1.95E-2    1.59E-2   -3.59E-3    5.56E-4   -1.42E-4
８      0.00     -4.93E-2    3.84E-2   -1.45E-2    1.11E-3    0.00
９     -0.91      3.26E-2    2.46E-3   -1.10E-2    6.73E-3   -1.19E-3
【００７１】
このような条件の下で、ｄ２／ｆｌ＝１．３４となり、（１）式を満足するものであった。また、ｄ４／ｆｌ＝０．２６となり、（２）式を満足するものであった。さらに、ｆ２／ｆｌ＝−２．７５となり、（３）式を満足するものであった。さらにまた、（ｒ５−ｒ６）／（ｒ５＋ｒ６）＝−０．６８となり、（４）式を満足するものであった。また、（ｒ８−ｒ９）／（ｒ８＋ｒ９）＝１．５９となり、（５）式を満足するものであった。
【００７２】
この第３実施例の撮像レンズ１における球面収差、非点収差およびディストーションを図７に示す。
【００７３】
この結果によれば、球面収差、非点収差およびディストーションのいずれもほぼ満足できる結果となり、十分な光学特性を得ることができることが分かる。
【００７４】
＜第４実施例＞
図８は、本発明の第４実施例を示したもので、本実施例においても、第４レンズ６の第２面６ｂと撮像面８との間に、フィルタ７としてのカバーガラスを配置している。
【００７５】
この第４実施例の撮像レンズ１は、以下の条件に設定されている。
レンズデータ
ｆｌ＝１．１８ｍｍ、ｆ２ ＝−３．４０ｍｍ、Ｆｎｏ＝２．８、ω＝１３４°
面番号                       ｒ         ｄ        ｎｄ         νｄ
（物点）
１（第１レンズ第１面）     10.346       0.550       1.729         54.67
２（第１レンズ第２面）      2.502       1.776
３（第２レンズ第１面）     -4.859       0.550       1.530         55.50
４（第２レンズ第２面）      2.968       0.194
５（第３レンズ第１面）      2.047       1.563       1.847         23.78
６（第３レンズ第２面）      8.915       0.608
７（絞り）                   ∞        0.720
８（第４レンズ第１面）      5.371       1.940       1.530         55.50
９（第４レンズ第２面）     -1.107       0.100
１０（カバーガラス第１面）   ∞        0.700       1.523         58.59
１１（カバーガラス第２面）   ∞
（像面）
面番号   ｋ         Ａ        Ｂ        Ｃ         Ｄ        Ｅ
３      0.00      5.31E-2   -6.95E-3    7.19E-4   -1.80E-5   -1.70E-6
４      0.00      2.66E-2    1.80E-2   -3.86E-3    3.93E-4   -8.47E-5
８      0.00     -4.63E-2    3.64E-2   -1.35E-2    1.23E-3    0.00
９     -0.91      3.43E-2   -4.33E-4   -9.66E-3    6.56E-3   -1.19E-3
【００７６】
このような条件の下で、ｄ２／ｆｌ＝１．５１となり、（１）式を満足するものであった。また、ｄ４／ｆｌ＝０．１６となり、（２）式を満足するものであった。さらに、ｆ２／ｆｌ＝−２．８８となり、（３）式を満足するものであった。さらにまた、（ｒ５−ｒ６）／（ｒ５＋ｒ６）＝−０．６３となり、（４）式を満足するものであった。また、（ｒ８−ｒ９）／（ｒ８＋ｒ９）＝１．５２となり、（５）式を満足するものであった。
【００７７】
この第４実施例の撮像レンズ１における球面収差、非点収差およびディストーションを図９に示す。
【００７８】
この結果によれば、球面収差、非点収差およびディストーションのいずれもほぼ満足できる結果となり、十分な光学特性を得ることができることが分かる。
【００７９】
＜第５実施例＞
図１０は、本発明の第５実施例を示したもので、本実施例においても、第４レンズ６の第２面６ｂと撮像面８との間に、フィルタ７としてのカバーガラスを配置している。
【００８０】
この第５実施例の撮像レンズ１は、以下の条件に設定されている。
レンズデータ
ｆｌ＝１．１８ｍｍ、ｆ２ ＝−３．４３ｍｍ、Ｆｎｏ＝２．８、ω＝１３４°
面番号                       ｒ         ｄ        ｎｄ         νｄ
（物点）
１（第１レンズ第１面）     12.456       0.904       1.729         54.67
２（第１レンズ第２面）      2.837       2.200
３（第２レンズ第１面）     -4.310       0.556       1.530         55.50
４（第２レンズ第２面）      3.272       0.345
５（第３レンズ第１面）      2.304       1.660       1.847         23.78
６（第３レンズ第２面）     13.733       0.744
７（絞り）                   ∞        0.761
８（第４レンズ第１面）      4.703       2.015       1.530         55.50
９（第４レンズ第２面）     -1.213       0.109
１０（カバーガラス第１面）   ∞        0.700       1.523         58.59
１１（カバーガラス第２面）   ∞
（像面）
面番号   ｋ         Ａ        Ｂ        Ｃ         Ｄ        Ｅ
３      0.00      5.45E-2   -7.02E-3    6.94E-4   -2.07E-5   -1.20E-6
４      0.00      2.61E-2    1.72E-2   -3.80E-3    4.36E-4   -6.87E-5
８      0.00     -4.72E-2    3.78E-2   -1.34E-2    2.68E-4    0.00
９     -0.90      3.27E-2    4.33E-4   -9.64E-3    6.45E-3   -1.19E-3
【００８１】
このような条件の下で、ｄ２／ｆｌ＝１．８７となり、（１）式を満足するものであった。また、ｄ４／ｆｌ＝０．２９となり、（２）式を満足するものであった。さらに、ｆ２／ｆｌ＝−２．９１となり、（３）式を満足するものであった。さらにまた、（ｒ５−ｒ６）／（ｒ５＋ｒ６）＝−０．７１となり、（４）式を満足するものであった。また、（ｒ８−ｒ９）／（ｒ８＋ｒ９）＝１．７０となり、（５）式を満足するものであった。
【００８２】
この第５実施例の撮像レンズ１における球面収差、非点収差およびディストーションを図１１に示す。
【００８３】
この結果によれば、球面収差、非点収差およびディストーションのいずれもほぼ満足できる結果となり、十分な光学特性を得ることができることが分かる。
【００８４】
＜第６実施例＞
図１２は、本発明の第６実施例を示したもので、本実施例においても、第４レンズ６の第２面６ｂと撮像面８との間に、フィルタ７としてのカバーガラスを配置している。
【００８５】
この第６実施例の撮像レンズ１は、以下の条件に設定されている。
レンズデータ
ｆｌ＝１．１８ｍｍ、ｆ２ ＝−４．４４ｍｍ、Ｆｎｏ＝２．８、ω＝１３４°
面番号                       ｒ         ｄ        ｎｄ         νｄ
（物点）
１（第１レンズ第１面）     17.925       0.705       1.729         54.67
２（第１レンズ第２面）      2.739       1.404
３（第２レンズ第１面）     -3.969       0.621       1.530         55.50
４（第２レンズ第２面）      6.046       0.116
５（第３レンズ第１面）      2.392       1.616       1.847         23.78
６（第３レンズ第２面）      8.973       0.768
７（絞り）                   ∞        0.694
８（第４レンズ第１面）      5.556       1.975       1.530         55.50
９（第４レンズ第２面）     -1.067       0.100
１０（カバーガラス第１面）   ∞        0.700       1.523         58.59
１１（カバーガラス第２面）   ∞
（像面）
面番号   ｋ         Ａ        Ｂ        Ｃ         Ｄ        Ｅ
３      0.00      5.06E-2   -5.70E-3    6.49E-4   -3.32E-5    1.31E-6
４      0.00      2.83E-2    9.37E-3   -3.02E-3    7.74E-4   -9.28E-5
８      0.00     -4.41E-2    3.40E-2   -1.18E-2    8.08E-4    0.00
９     -0.91      3.55E-2   -2.42E-4   -9.71E-3    6.58E-3   -1.18E-3
【００８６】
このような条件の下で、ｄ２／ｆｌ＝１．１９となり、（１）式を満足するものであった。また、ｄ４／ｆｌ＝０．１０となり、（２）式を満足するものであった。さらに、ｆ２／ｆｌ＝−３．７６となり、（３）式を満足するものであった。さらにまた、（ｒ５−ｒ６）／（ｒ５＋ｒ６）＝−０．５８となり、（４）式を満足するものであった。また、（ｒ８−ｒ９）／（ｒ８＋ｒ９）＝１．４８となり、（５）式を満足するものであった。
【００８７】
この第６実施例の撮像レンズ１における球面収差、非点収差およびディストーションを図１３に示す。
【００８８】
この結果によれば、球面収差、非点収差およびディストーションのいずれもほぼ満足できる結果となり、十分な光学特性を得ることができることが分かる。
【００８９】
＜第７実施例＞
図１４は、本発明の第７実施例を示したもので、本実施例においても、第４レンズ６の第２面６ｂと撮像面８との間に、フィルタ７としてのカバーガラスを配置している。
【００９０】
この第７実施例の撮像レンズ１は、以下の条件に設定されている。
レンズデータ
ｆｌ＝１．１７ｍｍ、ｆ２ ＝−４．０６ｍｍ、Ｆｎｏ＝２．８、ω＝１３４°
面番号                       ｒ         ｄ        ｎｄ         νｄ
（物点）
１（第１レンズ第１面）     17.775       0.550       1.729         54.67
２（第１レンズ第２面）      2.675       1.292
３（第２レンズ第１面）     -5.381       0.550       1.530         55.50
４（第２レンズ第２面）      3.736       0.309
５（第３レンズ第１面）      2.392       1.692       1.847         23.78
６（第３レンズ第２面）     11.591       0.818
７（絞り）                   ∞        0.709
８（第４レンズ第１面）      5.042       1.979       1.530         55.50
９（第４レンズ第２面）     -1.121       0.100
１０（カバーガラス第１面）   ∞        0.700       1.523         58.59
１１（カバーガラス第２面）   ∞
（像面）
面番号   ｋ         Ａ        Ｂ        Ｃ         Ｄ        Ｅ
３      0.00      4.41E-2   -4.65E-3    6.01E-4   -3.44E-5    1.67E-6
４      0.00      2.35E-2    8.76E-3   -2.13E-3    8.35E-4   -1.36E-4
８      0.00     -4.88E-2    3.70E-2   -1.32E-2    8.98E-4    0.00
９     -0.91      3.37E-2    1.50E-3   -1.04E-2    6.63E-3   -1.19E-3
【００９１】
このような条件の下で、ｄ２／ｆｌ＝１．１０となり、（１）式を満足するものであった。また、ｄ４／ｆｌ＝０．２６となり、（２）式を満足するものであった。さらに、ｆ２／ｆｌ＝−３．４７となり、（３）式を満足するものであった。さらにまた、（ｒ５−ｒ６）／（ｒ５＋ｒ６）＝−０．６６となり、（４）式を満足するものであった。また、（ｒ８−ｒ９）／（ｒ８＋ｒ９）＝１．５７となり、（５）式を満足するものであった。
【００９２】
この第７実施例の撮像レンズ１における球面収差、非点収差およびディストーションを図１５に示す。
【００９３】
この結果によれば、球面収差、非点収差およびディストーションのいずれもほぼ満足できる結果となり、十分な光学特性を得ることができることが分かる。
【００９４】
＜第８実施例＞
図１６は、本発明の第８実施例を示したもので、本実施例においても、第４レンズ６の第２面６ｂと撮像面８との間に、フィルタ７としてのカバーガラスを配置している。
【００９５】
この第８実施例の撮像レンズ１は、以下の条件に設定されている。
レンズデータ
ｆｌ＝１．１１ｍｍ、ｆ２ ＝−３．４１ｍｍ、Ｆｎｏ＝２．８、ω＝１３４°
面番号                       ｒ         ｄ        ｎｄ         νｄ
（物点）
１（第１レンズ第１面）     15.053       0.550       1.729         54.67
２（第１レンズ第２面）      2.518       0.605
３（第２レンズ第１面）    -16.294       0.550       1.530         55.50
４（第２レンズ第２面）      2.045       1.350
５（第３レンズ第１面）      2.638       1.469       1.847         23.78
６（第３レンズ第２面）     26.349       0.741
７（絞り）                   ∞        0.808
８（第４レンズ第１面）      4.132       1.827       1.530         55.50
９（第４レンズ第２面）     -1.367       0.100
１０（カバーガラス第１面）   ∞        0.700       1.523         58.59
１１（カバーガラス第２面）   ∞
（像面）
面番号   ｋ         Ａ        Ｂ        Ｃ         Ｄ        Ｅ
３      0.00      9.37E-2   -1.51E-2    1.08E-3    1.54E-4   -2.36E-5
４      0.00      9.48E-2    3.61E-3   -5.38E-3   -3.26E-4    5.02E-5
８      0.00     -9.34E-2    6.59E-2   -2.36E-2    2.52E-3    0.00
９     -0.77      2.71E-2   -3.43E-3   -9.05E-3    6.59E-3   -1.19E-3
【００９６】
このような条件の下で、ｄ２／ｆｌ＝０．５５となり、（１）式を満足するものであった。また、ｄ４／ｆｌ＝１．２２となり、（２）式を満足するものであった。さらに、ｆ２／ｆｌ＝−３．０７となり、（３）式を満足するものであった。さらにまた、（ｒ５−ｒ６）／（ｒ５＋ｒ６）＝−０．８２となり、（４）式を満足するものであった。また、（ｒ８−ｒ９）／（ｒ８＋ｒ９）＝１．９９となり、（５）式を満足するものであった。
【００９７】
この第８実施例の撮像レンズ１における球面収差、非点収差およびディストーションを図１７に示す。
【００９８】
この結果によれば、球面収差、非点収差およびディストーションのいずれもほぼ満足できる結果となり、十分な光学特性を得ることができることが分かる。
【００９９】
＜第９実施例＞
図１８は、本発明の第９実施例を示したもので、本実施例においても、第４レンズ６の第２面６ｂと撮像面８との間に、フィルタ７としてのカバーガラスを配置している。
【０１００】
この第９実施例の撮像レンズ１は、以下の条件に設定されている。
レンズデータ
ｆｌ＝１．１１ｍｍ、ｆ２ ＝−３．２５ｍｍ、Ｆｎｏ＝２．８、ω＝１３４°
面番号                       ｒ         ｄ        ｎｄ         νｄ
（物点）
１（第１レンズ第１面）     15.591       0.550       1.729         54.67
２（第１レンズ第２面）      2.445       0.270
３（第２レンズ第１面）    -13.883       0.550       1.530         55.50
４（第２レンズ第２面）      2.005       1.786
５（第３レンズ第１面）      2.412       1.425       1.847         23.78
６（第３レンズ第２面）     12.150       0.653
７（絞り）                   ∞        0.867
８（第４レンズ第１面）      4.293       1.798       1.530         55.50
９（第４レンズ第２面）     -1.455       0.100
１０（カバーガラス第１面）   ∞        0.700       1.523         58.59
１１（カバーガラス第２面）   ∞
（像面）
面番号   ｋ         Ａ        Ｂ        Ｃ         Ｄ        Ｅ
３      0.00      1.75E-1   -4.89E-2    9.13E-3   -9.52E-4    4.12E-5
４      0.00      2.46E-1   -4.29E-2   -1.73E-2    6.33E-3   -6.96E-4
８      0.00     -1.15E-1    8.46E-2   -3.25E-2    4.97E-3    0.00
９     -0.54     -2.68E-3    2.12E-2   -1.69E-2    7.22E-3   -9.81E-4
【０１０１】
このような条件の下で、ｄ２／ｆｌ＝０．２４となり、（１）式を満足するものであった。また、ｄ４／ｆｌ＝１．６０となり、（２）式を満足するものであった。さらに、ｆ２／ｆｌ＝−２．９３となり、（３）式を満足するものであった。さらにまた、（ｒ５−ｒ６）／（ｒ５＋ｒ６）＝−０．６７となり、（４）式を満足するものであった。また、（ｒ８−ｒ９）／（ｒ８＋ｒ９）＝２．０３となり、（５）式を満足するものであった。
【０１０２】
この第９実施例の撮像レンズ１における球面収差、非点収差およびディストーションを図１９に示す。
【０１０３】
この結果によれば、球面収差、非点収差およびディストーションのいずれもほぼ満足できる結果となり、十分な光学特性を得ることができることが分かる。
【０１０４】
＜第１０実施例＞
図２０は、本発明の第１０実施例を示したもので、本実施例においても、第４レンズ６の第２面６ｂと撮像面８との間に、フィルタ７としてのカバーガラスを配置している。
【０１０５】
この第１０実施例の撮像レンズ１は、以下の条件に設定されている。
レンズデータ
ｆｌ＝１．１３ｍｍ、ｆ２ ＝−３．６０ｍｍ、Ｆｎｏ＝２．８、ω＝１３４°
面番号                       ｒ         ｄ        ｎｄ         νｄ
（物点）
１（第１レンズ第１面）     24.036       0.550       1.729         54.67
２（第１レンズ第２面）      3.226       0.289
３（第２レンズ第１面）     -9.507       0.550       1.530         55.50
４（第２レンズ第２面）      2.442       2.193
５（第３レンズ第１面）      2.646       1.652       1.847         23.78
６（第３レンズ第２面）      9.798       0.933
７（絞り）                   ∞        0.883
８（第４レンズ第１面）      5.593       1.850       1.530         55.50
９（第４レンズ第２面）     -1.361       0.100
１０（カバーガラス第１面）   ∞        0.700       1.523         58.59
１１（カバーガラス第２面）   ∞
（像面）
面番号   ｋ         Ａ        Ｂ        Ｃ         Ｄ        Ｅ
３      0.00      1.05E-1   -2.52E-2    3.33E-3   -2.29E-4    7.74E-6
４      0.00      1.23E-1   -9.82E-3   -1.46E-2    4.48E-3   -3.68E-4
８      0.00     -6.97E-2    4.95E-2   -1.87E-2    2.31E-3    0.00
９     -1.16     -1.43E-2    1.65E-2   -1.62E-2    6.83E-3   -9.96E-4
このような条件の下で、ｄ２／ｆｌ＝０．２６となり、（１）式を満足するものであった。また、ｄ４／ｆｌ＝１．９４となり、（２）式を満足するものであった。さらに、ｆ２／ｆｌ＝−３．１９となり、（３）式を満足するものであった。さらにまた、（ｒ５−ｒ６）／（ｒ５＋ｒ６）＝−０．５７となり、（４）式を満足するものであった。また、（ｒ８−ｒ９）／（ｒ８＋ｒ９）＝１．６４となり、（５）式を満足するものであった。
【０１０６】
この第１０実施例の撮像レンズ１における球面収差、非点収差およびディストーションを図２１に示す。
【０１０７】
この結果によれば、球面収差、非点収差およびディストーションのいずれもほぼ満足できる結果となり、十分な光学特性を得ることができることが分かる。
【０１０８】
＜第１１実施例＞
図２２は、本発明の第１１実施例を示したもので、本実施例においても、第４レンズ６の第２面６ｂと撮像面８との間に、フィルタ７としてのカバーガラスを配置している。
【０１０９】
この第１１実施例の撮像レンズ１は、以下の条件に設定されている。
レンズデータ
ｆｌ＝１．１６ｍｍ、ｆ２ ＝−２．６９ｍｍ、Ｆｎｏ＝２．８、ω＝１３４°
面番号                       ｒ         ｄ        ｎｄ         νｄ
（物点）
１（第１レンズ第１面）     13.064       0.550       1.729         54.67
２（第１レンズ第２面）      3.567       1.410
３（第２レンズ第１面）     -5.438       0.589       1.530         55.50
４（第２レンズ第２面）      2.016       0.367
５（第３レンズ第１面）      2.332       1.535       1.847         23.78
６（第３レンズ第２面）     15.773       0.707
７（絞り）                   ∞        0.797
８（第４レンズ第１面）      5.745       1.897       1.530         55.50
９（第４レンズ第２面）     -1.093       0.120
１０（カバーガラス第１面）   ∞        0.700       1.523         58.59
１１（カバーガラス第２面）   ∞
（像面）
面番号   ｋ         Ａ        Ｂ        Ｃ         Ｄ        Ｅ
３      0.00      3.09E-2   -5.33E-3    7.52E-4   -6.38E-5    2.28E-6
４      0.00     -8.27E-3    6.18E-3   -1.51E-3    5.02E-4   -1.24E-4
８      0.00     -4.75E-2    4.14E-2   -1.49E-2    1.52E-3    0.00
９     -0.92      2.87E-2    3.65E-3   -9.93E-3    6.68E-3   -1.19E-3
【０１１０】
このような条件の下で、ｄ２／ｆｌ＝１．２１となり、（１）式を満足するものであった。また、ｄ４／ｆｌ＝０．３２となり、（２）式を満足するものであった。さらに、ｆ２／ｆｌ＝−２．３２となり、（３）式を満足するものであった。さらにまた、（ｒ５−ｒ６）／（ｒ５＋ｒ６）＝−０．７４となり、（４）式を満足するものであった。また、（ｒ８−ｒ９）／（ｒ８＋ｒ９）＝１．４７となり、（５）式を満足するものであった。
【０１１１】
この第１１実施例の撮像レンズ１における球面収差、非点収差およびディストーションを図２３に示す。
【０１１２】
この結果によれば、球面収差、非点収差およびディストーションのいずれもほぼ満足できる結果となり、十分な光学特性を得ることができることが分かる。
【０１１３】
＜第１２実施例＞
図２４は、本発明の第１２実施例を示したもので、本実施例においても、第４レンズ６の第２面６ｂと撮像面８との間に、フィルタ７としてのカバーガラスを配置している。
【０１１４】
この第１２実施例の撮像レンズ１は、以下の条件に設定されている。
レンズデータ
ｆｌ＝１．１７ｍｍ、ｆ２ ＝−４．６０ｍｍ、Ｆｎｏ＝２．８、ω＝１３４°
面番号                       ｒ         ｄ        ｎｄ         νｄ
（物点）
１（第１レンズ第１面）     16.855       0.550       1.729         54.67
２（第１レンズ第２面）      2.779       1.469
３（第２レンズ第１面）     -3.969       0.610       1.530         55.50
４（第２レンズ第２面）      6.702       0.123
５（第３レンズ第１面）      2.461       1.630       1.847         23.78
６（第３レンズ第２面）      8.636       0.773
７（絞り）                   ∞        0.718
８（第４レンズ第１面）      5.493       2.010       1.530         55.50
９（第４レンズ第２面）     -1.070       0.100
１０（カバーガラス第１面）   ∞        0.700       1.523         58.59
１１（カバーガラス第２面）   ∞
（像面）
面番号   ｋ         Ａ        Ｂ        Ｃ         Ｄ        Ｅ
３      0.00      5.06E-2   -5.71E-3    6.50E-4   -3.32E-5    1.31E-6
４      0.00      2.83E-2    9.36E-3   -3.02E-3    7.73E-4   -9.28E-5
８      0.00     -4.38E-2    3.38E-2   -1.18E-2    8.28E-4    0.00
９     -0.91      3.55E-2   -2.42E-4   -9.71E-3    6.58E-3   -1.18E-3
【０１１５】
このような条件の下で、ｄ２／ｆｌ＝１．２５となり、（１）式を満足するものであった。また、ｄ４／ｆｌ＝０．１０となり、（２）式を満足するものであった。さらに、ｆ２／ｆｌ＝−３．９３となり、（３）式を満足するものであった。さらにまた、（ｒ５−ｒ６）／（ｒ５＋ｒ６）＝−０．５６となり、（４）式を満足するものであった。また、（ｒ８−ｒ９）／（ｒ８＋ｒ９）＝１．４８となり、（５）式を満足するものであった。
【０１１６】
この第１２実施例の撮像レンズ１における球面収差、非点収差およびディストーションを図２５に示す。
【０１１７】
この結果によれば、球面収差、非点収差およびディストーションのいずれもほぼ満足できる結果となり、十分な光学特性を得ることができることが分かる。
【０１１８】
＜第１３実施例＞
図２６は、本発明の第１３実施例を示したもので、本実施例においても、第４レンズ６の第２面６ｂと撮像面８との間に、フィルタ７としてのカバーガラスを配置している。
【０１１９】
この第１３実施例の撮像レンズ１は、以下の条件に設定されている。
レンズデータ
ｆｌ＝１．１８ｍｍ、ｆ２ ＝−４．３４ｍｍ、Ｆｎｏ＝２．８、ω＝１３４°
面番号                       ｒ         ｄ        ｎｄ         νｄ
（物点）
１（第１レンズ第１面）     36.954       0.550       1.729         54.67
２（第１レンズ第２面）      3.267       1.308
３（第２レンズ第１面）     -6.237       0.550       1.530         55.50
４（第２レンズ第２面）      3.746       0.281
５（第３レンズ第１面）      2.756       1.807       1.847         23.78
６（第３レンズ第２面）     13.367       1.201
７（絞り）                   ∞        0.537
８（第４レンズ第１面）     14.378       2.383       1.530         55.50
９（第４レンズ第２面）     -1.092       0.100
１０（カバーガラス第１面）   ∞        0.700       1.523         58.59
１１（カバーガラス第２面）   ∞
（像面）
面番号   ｋ         Ａ        Ｂ        Ｃ         Ｄ        Ｅ
３      0.00      2.92E-2   -4.06E-3    5.96E-4   -4.38E-5    1.67E-6
４      0.00      5.01E-3    8.10E-3   -3.43E-3    8.11E-4   -6.10E-5
８      0.00     -8.03E-2    9.82E-2   -6.97E-2    1.96E-2    0.00
９     -0.89      6.91E-3    2.79E-2   -2.61E-2    9.46E-3   -1.19E-3
【０１２０】
このような条件の下で、ｄ２／ｆｌ＝１．１１となり、（１）式を満足するものであった。また、ｄ４／ｆｌ＝０．２４となり、（２）式を満足するものであった。さらに、ｆ２／ｆｌ＝−３．６８となり、（３）式を満足するものであった。さらにまた、（ｒ５−ｒ６）／（ｒ５＋ｒ６）＝−０．６６となり、（４）式を満足するものであった。また、（ｒ８−ｒ９）／（ｒ８＋ｒ９）＝１．１６となり、（５）式を満足するものであった。
【０１２１】
この第１３実施例の撮像レンズ１における球面収差、非点収差およびディストーションを図２７に示す。
【０１２２】
この結果によれば、球面収差、非点収差およびディストーションのいずれもほぼ満足できる結果となり、十分な光学特性を得ることができることが分かる。
【０１２３】
＜第１４実施例＞
図２８は、本発明の第１４実施例を示したもので、本実施例においても、第４レンズ６の第２面６ｂと撮像面８との間に、フィルタ７としてのカバーガラスを配置している。
【０１２４】
この第１４実施例の撮像レンズ１は、以下の条件に設定されている。
レンズデータ
ｆｌ＝１．１８ｍｍ、ｆ２ ＝−４．３７ｍｍ、Ｆｎｏ＝２．８、ω＝１３４°
面番号                       ｒ         ｄ        ｎｄ         νｄ
（物点）
１（第１レンズ第１面）     31.887       0.550       1.729         54.67
２（第１レンズ第２面）      3.188       1.293
３（第２レンズ第１面）     -5.851       0.550       1.530         55.50
４（第２レンズ第２面）      3.942       0.396
５（第３レンズ第１面）      2.773       1.824       1.847         23.78
６（第３レンズ第２面）     15.071       1.195
７（絞り）                   ∞        0.617
８（第４レンズ第１面）      7.675       2.318       1.530         55.50
９（第４レンズ第２面）     -1.125       0.100
１０（カバーガラス第１面）   ∞        0.700       1.523         58.59
１１（カバーガラス第２面）   ∞
（像面）
面番号   ｋ         Ａ        Ｂ        Ｃ         Ｄ        Ｅ
３      0.00      3.15E-2   -3.95E-3    5.63E-4   -4.01E-5    1.51E-6
４      0.00      1.26E-2    6.45E-3   -2.96E-3    8.31E-4   -7.34E-5
８      0.00     -5.32E-2    5.10E-2   -2.51E-2    2.27E-3    0.00
９     -0.90      2.27E-2    1.36E-2   -1.80E-2    8.00E-3   -1.19E-3
【０１２５】
このような条件の下で、ｄ２／ｆｌ＝１．１０となり、（１）式を満足するものであった。また、ｄ４／ｆｌ＝０．３４となり、（２）式を満足するものであった。さらに、ｆ２／ｆｌ＝−３．７０となり、（３）式を満足するものであった。さらにまた、（ｒ５−ｒ６）／（ｒ５＋ｒ６）＝−０．６９となり、（４）式を満足するものであった。また、（ｒ８−ｒ９）／（ｒ８＋ｒ９）＝１．３４となり、（５）式を満足するものであった。
【０１２６】
この第１４実施例の撮像レンズ１における球面収差、非点収差およびディストーションを図２９に示す。
【０１２７】
この結果によれば、球面収差、非点収差およびディストーションのいずれもほぼ満足できる結果となり、十分な光学特性を得ることができることが分かる。
【０１２８】
＜第１５実施例＞
図３０は、本発明の第１５実施例を示したもので、本実施例においても、第４レンズ６の第２面６ｂと撮像面８との間に、フィルタ７としてのカバーガラスを配置している。
【０１２９】
この第１５実施例の撮像レンズ１は、以下の条件に設定されている。
レンズデータ
ｆｌ＝１．１８ｍｍ、ｆ２ ＝−３．５５ｍｍ、Ｆｎｏ＝２．８、ω＝１３４°
面番号                       ｒ         ｄ        ｎｄ         νｄ
（物点）
１（第１レンズ第１面）     14.634       0.550       1.729         54.67
２（第１レンズ第２面）      2.603       0.946
３（第２レンズ第１面）    -22.070       0.550       1.530         55.50
４（第２レンズ第２面）      2.069       0.891
５（第３レンズ第１面）      2.801       1.541       1.847         23.78
６（第３レンズ第２面）   -255.358       0.808
７（絞り）                   ∞        0.783
８（第４レンズ第１面）      3.705       1.833       1.530         55.50
９（第４レンズ第２面）     -1.393       0.100
１０（カバーガラス第１面）   ∞        0.700       1.523         58.59
１１（カバーガラス第２面）   ∞
（像面）
面番号   ｋ         Ａ        Ｂ        Ｃ         Ｄ        Ｅ
３      0.00      6.30E-2   -1.13E-2    1.68E-3   -1.29E-4    3.33E-6
４      0.00      4.39E-2    1.20E-2   -6.45E-3    6.74E-4   -8.88E-5
８      0.00     -7.60E-2    4.64E-2   -1.38E-2    6.79E-4    0.00
９     -0.85      1.93E-2    8.81E-3   -1.45E-2    7.36E-3   -1.19E-3
【０１３０】
このような条件の下で、ｄ２／ｆｌ＝０．８０となり、（１）式を満足するものであった。また、ｄ４／ｆｌ＝０．７６となり、（２）式を満足するものであった。さらに、ｆ２／ｆｌ＝−３．０１となり、（３）式を満足するものであった。さらにまた、（ｒ５−ｒ６）／（ｒ５＋ｒ６）＝−１．０２となり、（４）式を満足するものであった。また、（ｒ８−ｒ９）／（ｒ８＋ｒ９）＝２．２１となり、（５）式を満足するものであった。
【０１３１】
この第１５実施例の撮像レンズ１における球面収差、非点収差およびディストーションを図３１に示す。
【０１３２】
この結果によれば、球面収差、非点収差およびディストーションのいずれもほぼ満足できる結果となり、十分な光学特性を得ることができることが分かる。
【０１３３】
＜第１６実施例＞
図３２は、本発明の第１６実施例を示したもので、本実施例においても、第４レンズ６の第２面６ｂと撮像面８との間に、フィルタ７としてのカバーガラスを配置している。
【０１３４】
この第１６実施例の撮像レンズ１は、以下の条件に設定されている。
レンズデータ
ｆｌ＝１．１８ｍｍ、ｆ２ ＝−３．２６ｍｍ、Ｆｎｏ＝２．８、ω＝１３４°
面番号                       ｒ         ｄ        ｎｄ         νｄ
（物点）
１（第１レンズ第１面）     13.905       0.550       1.729         54.67
２（第１レンズ第２面）      2.562       0.848
３（第２レンズ第１面）    -12.814       0.550       1.530         55.50
４（第２レンズ第２面）      2.018       1.039
５（第３レンズ第１面）      2.848       1.519       1.847         23.78
６（第３レンズ第２面）    -41.070       0.778
７（絞り）                   ∞        0.810
８（第４レンズ第１面）      3.356       1.806       1.530         55.50
９（第４レンズ第２面）     -1.548       0.100
１０（カバーガラス第１面）   ∞        0.700       1.523         58.59
１１（カバーガラス第２面）   ∞
（像面）
面番号   ｋ         Ａ        Ｂ        Ｃ         Ｄ        Ｅ
３      0.00      9.08E-2   -1.89E-2    2.89E-3   -2.31E-4    5.41E-6
４      0.00      7.58E-2    1.98E-2   -1.26E-2    1.08E-3   -4.13E-5
８      0.00     -8.47E-2    4.74E-2   -1.27E-2    5.98E-4    0.00
９     -0.87      1.07E-2    1.17E-2   -1.70E-2    7.94E-3   -1.19E-3
【０１３５】
このような条件の下で、ｄ２／ｆｌ＝０．７２となり、（１）式を満足するものであった。また、ｄ４／ｆｌ＝０．８８となり、（２）式を満足するものであった。さらに、ｆ２／ｆｌ＝−２．７６となり、（３）式を満足するものであった。さらにまた、（ｒ５−ｒ６）／（ｒ５＋ｒ６）＝−１．１５となり、（４）式を満足するものであった。また、（ｒ８−ｒ９）／（ｒ８＋ｒ９）＝２．７１となり、（５）式を満足するものであった。
【０１３６】
この第１６実施例の撮像レンズ１における球面収差、非点収差およびディストーションを図３３に示す。
【０１３７】
この結果によれば、球面収差、非点収差およびディストーションのいずれもほぼ満足できる結果となり、十分な光学特性を得ることができることが分かる。
【０１３８】
＜第１７実施例＞
図３４は、本発明の第１７実施例を示したもので、本実施例においても、第４レンズ６の第２面６ｂと撮像面８との間に、フィルタ７としてのカバーガラスを配置している。
【０１３９】
この第１７実施例の撮像レンズ１は、以下の条件に設定されている。
レンズデータ
ｆｌ＝１．１８ｍｍ、ｆ２ ＝−３．０９ｍｍ、Ｆｎｏ＝２．８、ω＝１３４°
面番号                       ｒ         ｄ        ｎｄ         νｄ
（物点）
１（第１レンズ第１面）     12.733       0.550       1.729         54.67
２（第１レンズ第２面）      2.654       0.992
３（第２レンズ第１面）     -9.845       0.674       1.530         55.50
４（第２レンズ第２面）      2.004       1.100
５（第３レンズ第１面）      3.103       1.742       1.847         23.78
６（第３レンズ第２面）    -14.966       0.713
７（絞り）                   ∞        0.885
８（第４レンズ第１面）      3.145       1.744       1.530         55.50
９（第４レンズ第２面）     -1.778       0.100
１０（カバーガラス第１面）   ∞        0.700       1.523         58.59
１１（カバーガラス第２面）   ∞
（像面）
面番号   ｋ         Ａ        Ｂ        Ｃ         Ｄ        Ｅ
３      0.00      9.63E-2   -2.27E-2    3.75E-3   -3.56E-4    1.34E-5
４      0.00      9.22E-2    1.71E-2   -1.64E-2    2.29E-3   -1.40E-4
８      0.00     -7.56E-2    3.34E-2   -5.82E-3   -4.38E-4    0.00
９     -0.85      4.91E-3    1.85E-2   -2.05E-2    8.56E-3   -1.19E-3
【０１４０】
このような条件の下で、ｄ２／ｆｌ＝０．８４となり、（１）式を満足するものであった。また、ｄ４／ｆｌ＝０．９３となり、（２）式を満足するものであった。さらに、ｆ２／ｆｌ＝−２．６２となり、（３）式を満足するものであった。さらにまた、（ｒ５−ｒ６）／（ｒ５＋ｒ６）＝−１．５２となり、（４）式を満足するものであった。また、（ｒ８−ｒ９）／（ｒ８＋ｒ９）＝３．６０となり、（５）式を満足するものであった。
【０１４１】
この第１７実施例の撮像レンズ１における球面収差、非点収差およびディストーションを図３５に示す。
【０１４２】
この結果によれば、球面収差、非点収差およびディストーションのいずれもほぼ満足できる結果となり、十分な光学特性を得ることができることが分かる。
【０１４３】
＜第１８実施例＞
図３６は、本発明の第１８実施例を示したもので、本実施例においても、第４レンズ６の第２面６ｂと撮像面８との間に、フィルタ７としてのカバーガラスを配置している。
【０１４４】
この第１８実施例の撮像レンズ１は、以下の条件に設定されている。
レンズデータ
ｆｌ＝１．１６ｍｍ、ｆ２ ＝−４．１９ｍｍ、Ｆｎｏ＝２．８、ω＝１３４°
面番号                       ｒ         ｄ        ｎｄ         νｄ
（物点）
１（第１レンズ第１面）     15.357       0.550       1.729         54.67
２（第１レンズ第２面）      2.671       1.213
３（第２レンズ第１面）     -4.177       0.550       1.530         55.50
４（第２レンズ第２面）      4.946       0.672
５（第３レンズ第１面）      2.090       1.874       1.847         23.78
６（第３レンズ第２面）      4.202       0.418
７（絞り）                   ∞        0.628
８（第４レンズ第１面）      5.659       1.996       1.530         55.50
９（第４レンズ第２面）     -1.060       0.100
１０（カバーガラス第１面）   ∞        0.700       1.523         58.59
１１（カバーガラス第２面）   ∞
（像面）
面番号   ｋ         Ａ        Ｂ        Ｃ         Ｄ        Ｅ
３      0.00      7.40E-2   -1.61E-2    3.04E-3   -3.16E-4    1.68E-5
４      0.00      4.95E-2    7.56E-3   -8.10E-3    2.93E-3   -3.24E-4
８      0.00     -6.41E-2    6.05E-2   -2.98E-2    5.59E-3    0.00
９     -1.75     -6.01E-2    2.82E-2   -1.99E-2    8.20E-3   -1.19E-3
【０１４５】
このような条件の下で、ｄ２／ｆｌ＝１．０５となり、（１）式を満足するものであった。また、ｄ４／ｆｌ＝０．５８となり、（２）式を満足するものであった。さらに、ｆ２／ｆｌ＝−３．６１となり、（３）式を満足するものであった。さらにまた、（ｒ５−ｒ６）／（ｒ５＋ｒ６）＝−０．３４となり、（４）式を満足するものであった。また、（ｒ８−ｒ９）／（ｒ８＋ｒ９）＝１．４６となり、（５）式を満足するものであった。
【０１４６】
この第１８実施例の撮像レンズ１における球面収差、非点収差およびディストーションを図３７に示す。
【０１４７】
この結果によれば、球面収差、非点収差およびディストーションのいずれもほぼ満足できる結果となり、十分な光学特性を得ることができることが分かる。
【０１４８】
＜第１９実施例＞
図３８は、本発明の第１９実施例を示したもので、本実施例においても、第４レンズ６の第２面６ｂと撮像面８との間に、フィルタ７としてのカバーガラスを配置している。
【０１４９】
この第１９実施例の撮像レンズ１は、以下の条件に設定されている。
レンズデータ
ｆｌ＝１．１６ｍｍ、ｆ２ ＝−３．５６ｍｍ、Ｆｎｏ＝２．８、ω＝１３４°
面番号                       ｒ         ｄ        ｎｄ         νｄ
（物点）
１（第１レンズ第１面）     11.181       0.550       1.729         54.67
２（第１レンズ第２面）      2.547       1.334
３（第２レンズ第１面）     -6.775       0.550       1.530         55.50
４（第２レンズ第２面）      2.681       0.667
５（第３レンズ第１面）      2.058       1.585       1.847         23.78
６（第３レンズ第２面）      5.791       0.582
７（絞り）                   ∞        0.695
８（第４レンズ第１面）      5.216       1.937       1.530         55.50
９（第４レンズ第２面）     -1.130       0.100
１０（カバーガラス第１面）   ∞        0.700       1.523         58.59
１１（カバーガラス第２面）   ∞
（像面）
面番号   ｋ         Ａ        Ｂ        Ｃ         Ｄ        Ｅ
３      0.00      6.84E-2   -1.72E-2    3.34E-3   -3.32E-4    1.39E-5
４      0.00      5.46E-2    4.51E-4   -6.71E-3    3.51E-3   -5.54E-4
８      0.00     -5.95E-2    5.51E-2   -2.52E-2    3.98E-3    0.00
９     -2.19     -7.34E-2    3.14E-2   -1.74E-2    7.45E-3   -1.19E-3
【０１５０】
このような条件の下で、ｄ２／ｆｌ＝１．１５となり、（１）式を満足するものであった。また、ｄ４／ｆｌ＝０．５８となり、（２）式を満足するものであった。さらに、ｆ２／ｆｌ＝−３．０７となり、（３）式を満足するものであった。さらにまた、（ｒ５−ｒ６）／（ｒ５＋ｒ６）＝−０．４８となり、（４）式を満足するものであった。また、（ｒ８−ｒ９）／（ｒ８＋ｒ９）＝１．５５となり、（５）式を満足するものであった。
【０１５１】
この第１９実施例の撮像レンズ１における球面収差、非点収差およびディストーションを図３９に示す。
【０１５２】
この結果によれば、球面収差、非点収差およびディストーションのいずれもほぼ満足できる結果となり、十分な光学特性を得ることができることが分かる。
【０１５３】
＜第２０実施例＞
図４０は、本発明の第２０実施例を示したもので、本実施例においても、第４レンズ６の第２面６ｂと撮像面８との間に、フィルタ７としてのカバーガラスを配置している。
【０１５４】
この第２０実施例の撮像レンズ１は、以下の条件に設定されている。
レンズデータ
ｆｌ＝１．１６ｍｍ、ｆ２ ＝−３．３９ｍｍ、Ｆｎｏ＝２．８、ω＝１３４°
面番号                       ｒ         ｄ        ｎｄ         νｄ
（物点）
１（第１レンズ第１面）     11.145       0.550       1.729         54.67
２（第１レンズ第２面）      2.483       1.270
３（第２レンズ第１面）    -24.304       0.550       1.530         55.50
４（第２レンズ第２面）      1.950       0.728
５（第３レンズ第１面）      3.070       1.450       1.847         23.78
６（第３レンズ第２面）    -14.812       0.720
７（絞り）                   ∞        0.879
８（第４レンズ第１面）      4.256       1.753       1.530         55.50
９（第４レンズ第２面）     -1.373       0.100
１０（カバーガラス第１面）   ∞        0.700       1.523         58.59
１１（カバーガラス第２面）   ∞
（像面）
面番号   ｋ         Ａ        Ｂ        Ｃ         Ｄ        Ｅ
３      0.00      7.09E-2   -2.09E-2    4.21E-3   -4.81E-4    2.32E-5
４      0.00      4.28E-2    5.71E-3   -1.36E-2    4.29E-3   -5.93E-4
８      0.00     -2.59E-2   -5.54E-3    1.05E-2   -4.44E-3    0.00
９     -2.31     -3.30E-2    2.86E-2   -2.07E-2    7.84E-3   -1.19E-3
【０１５５】
このような条件の下で、ｄ２／ｆｌ＝１．１０となり、（１）式を満足するものであった。また、ｄ４／ｆｌ＝０．６３となり、（２）式を満足するものであった。さらに、ｆ２／ｆｌ＝−２．９２となり、（３）式を満足するものであった。さらにまた、（ｒ５−ｒ６）／（ｒ５＋ｒ６）＝−１．５２となり、（４）式を満足するものであった。また、（ｒ８−ｒ９）／（ｒ８＋ｒ９）＝１．９５となり、（５）式を満足するものであった。
【０１５６】
この第２０実施例の撮像レンズ１における球面収差、非点収差およびディストーションを図４１に示す。
【０１５７】
この結果によれば、球面収差、非点収差およびディストーションのいずれもほぼ満足できる結果となり、十分な光学特性を得ることができることが分かる。
【０１５８】
＜第２１実施例＞
図４２は、本発明の第２１実施例を示したもので、本実施例においても、第４レンズ６の第２面６ｂと撮像面８との間に、フィルタ７としてのカバーガラスを配置している。
【０１５９】
この第２１実施例の撮像レンズ１は、以下の条件に設定されている。
レンズデータ
ｆｌ＝１．１２ｍｍ、ｆ２ ＝−３．２７ｍｍ、Ｆｎｏ＝２．８、ω＝１３４°
面番号                       ｒ         ｄ        ｎｄ         νｄ
（物点）
１（第１レンズ第１面）     10.938       0.550       1.729         54.67
２（第１レンズ第２面）      2.616       1.335
３（第２レンズ第１面）    -10.566       0.550       1.530         55.50
４（第２レンズ第２面）      2.112       0.883
５（第３レンズ第１面）      3.506       1.699       1.847         23.78
６（第３レンズ第２面）    -10.079       0.698
７（絞り）                   ∞        0.935
８（第４レンズ第１面）      4.481       1.750       1.530         55.50
９（第４レンズ第２面）     -1.420       0.100
１０（カバーガラス第１面）   ∞        0.700       1.523         58.59
１１（カバーガラス第２面）   ∞
（像面）
面番号   ｋ         Ａ        Ｂ        Ｃ         Ｄ        Ｅ
３      0.00      7.97E-2   -2.08E-2    3.67E-3   -3.92E-4    1.79E-5
４      0.00      5.31E-2    1.33E-2   -1.42E-2    2.96E-3   -2.55E-4
８      0.00     -2.34E-2   -1.38E-2    1.45E-2   -5.25E-3    0.00
９     -1.08      1.74E-2    2.06E-2   -2.22E-2    8.34E-3   -1.19E-3
【０１６０】
このような条件の下で、ｄ２／ｆｌ＝１．１９となり、（１）式を満足するものであった。また、ｄ４／ｆｌ＝０．７９となり、（２）式を満足するものであった。さらに、ｆ２／ｆｌ＝−２．９２となり、（３）式を満足するものであった。さらにまた、（ｒ５−ｒ６）／（ｒ５＋ｒ６）＝−２．０７となり、（４）式を満足するものであった。また、（ｒ８−ｒ９）／（ｒ８＋ｒ９）＝１．９３となり、（５）式を満足するものであった。
【０１６１】
この第２１実施例の撮像レンズ１における球面収差、非点収差およびディストーションを図４３に示す。
【０１６２】
この結果によれば、球面収差、非点収差およびディストーションのいずれもほぼ満足できる結果となり、十分な光学特性を得ることができることが分かる。
【０１６３】
＜第２２実施例＞
図４４は、本発明の第２２実施例を示したもので、本実施例においても、第４レンズ６の第２面６ｂと撮像面８との間に、フィルタ７としてのカバーガラスを配置している。
【０１６４】
この第２２実施例の撮像レンズ１は、以下の条件に設定されている。
レンズデータ
ｆｌ＝１．１４ｍｍ、ｆ２ ＝−３．３４ｍｍ、Ｆｎｏ＝２．８、ω＝１３４°
面番号                       ｒ         ｄ        ｎｄ         νｄ
（物点）
１（第１レンズ第１面）      9.737       0.550       1.729         54.67
２（第１レンズ第２面）      2.465       1.350
３（第２レンズ第１面）    -22.354       0.550       1.530         55.50
４（第２レンズ第２面）      1.934       0.826
５（第３レンズ第１面）      3.811       1.678       1.847         23.78
６（第３レンズ第２面）     -7.454       0.680
７（絞り）                   ∞        0.930
８（第４レンズ第１面）      4.736       1.837       1.530         55.50
９（第４レンズ第２面）     -1.427       0.100
１０（カバーガラス第１面）   ∞        0.700       1.523         58.59
１１（カバーガラス第２面）   ∞
（像面）
面番号   ｋ         Ａ        Ｂ        Ｃ         Ｄ        Ｅ
３      0.00      7.03E-2   -1.99E-2    3.78E-3   -4.34E-4    2.04E-5
４      0.00      4.09E-2    1.04E-2   -1.40E-2    3.36E-3   -4.18E-4
８      0.00     -1.78E-2   -2.48E-2    2.27E-2   -8.22E-3    0.00
９     -1.10      1.69E-2    2.19E-2   -2.30E-2    8.46E-3   -1.19E-3
【０１６５】
このような条件の下で、ｄ２／ｆｌ＝１．１９となり、（１）式を満足するものであった。また、ｄ４／ｆｌ＝０．７３となり、（２）式を満足するものであった。さらに、ｆ２／ｆｌ＝−２．９３となり、（３）式を満足するものであった。さらにまた、（ｒ５−ｒ６）／（ｒ５＋ｒ６）＝−３．０９となり、（４）式を満足するものであった。また、（ｒ８−ｒ９）／（ｒ８＋ｒ９）＝１．８６となり、（５）式を満足するものであった。
【０１６６】
この第２２実施例の撮像レンズ１における球面収差、非点収差およびディストーションを図４５に示す。
【０１６７】
この結果によれば、球面収差、非点収差およびディストーションのいずれもほぼ満足できる結果となり、十分な光学特性を得ることができることが分かる。
【０１６８】
＜第２３実施例＞
図４６は、本発明の第２３実施例を示したもので、本実施例においても、第４レンズ６の第２面６ｂと撮像面８との間に、フィルタ７としてのカバーガラスを配置している。
【０１６９】
この第２３実施例の撮像レンズ１は、以下の条件に設定されている。
レンズデータ
ｆｌ＝１．１４ｍｍ、ｆ２ ＝−３．３９ｍｍ、Ｆｎｏ＝２．８、ω＝１３４°
面番号                       ｒ         ｄ        ｎｄ         νｄ
（物点）
１（第１レンズ第１面）      9.599       0.550       1.729         54.67
２（第１レンズ第２面）      2.384       1.299
３（第２レンズ第１面）    -41.641       0.550       1.530         55.50
４（第２レンズ第２面）      1.886       0.820
５（第３レンズ第１面）      4.015       1.723       1.847         23.78
６（第３レンズ第２面）     -6.580       0.655
７（絞り）                   ∞        0.976
８（第４レンズ第１面）      4.605       1.828       1.530         55.50
９（第４レンズ第２面）     -1.468       0.100
１０（カバーガラス第１面）   ∞        0.700       1.523         58.59
１１（カバーガラス第２面）   ∞
（像面）
面番号   ｋ         Ａ        Ｂ        Ｃ         Ｄ        Ｅ
３      0.00      7.13E-2   -2.06E-2    4.01E-3   -4.77E-4    2.25E-5
４      0.00      4.23E-2    1.01E-2   -1.53E-2    3.72E-3   -4.88E-4
８      0.00     -1.50E-2   -2.39E-2    2.14E-2   -7.14E-3    0.00
９     -1.11      1.77E-2    2.26E-2   -2.33E-2    8.61E-3   -1.19E-3
【０１７０】
このような条件の下で、ｄ２／ｆｌ＝１．１４となり、（１）式を満足するものであった。また、ｄ４／ｆｌ＝０．７２となり、（２）式を満足するものであった。さらに、ｆ２／ｆｌ＝−２．９７となり、（３）式を満足するものであった。さらにまた、（ｒ５−ｒ６）／（ｒ５＋ｒ６）＝−４．１３となり、（４）式を満足するものであった。また、（ｒ８−ｒ９）／（ｒ８＋ｒ９）＝１．９４となり、（５）式を満足するものであった。
【０１７１】
この第２３実施例の撮像レンズ１における球面収差、非点収差およびディストーションを図４７に示す。
【０１７２】
この結果によれば、球面収差、非点収差およびディストーションのいずれもほぼ満足できる結果となり、十分な光学特性を得ることができることが分かる。
【０１７３】
なお、本発明は、前述した実施の形態に限定されるものではなく、必要に応じて種々の変更が可能である。
【図面の簡単な説明】
【０１７４】
【図１】本発明に係る撮像レンズの実施の一形態を示す概略構成図
【図２】本発明に係る撮像レンズの第１実施例を示す概略構成図
【図３】図２に示す撮像レンズにおける球面収差、非点収差およびディストーションを示す説明図
【図４】本発明に係る撮像レンズの第２実施例を示す概略構成図
【図５】図４に示す撮像レンズにおける球面収差、非点収差およびディストーションを示す説明図
【図６】本発明に係る撮像レンズの第３実施例を示す概略構成図
【図７】図６に示す撮像レンズにおける球面収差、非点収差およびディストーションを示す説明図
【図８】本発明に係る撮像レンズの第４実施例を示す概略構成図
【図９】図８に示す撮像レンズにおける球面収差、非点収差およびディストーションを示す説明図
【図１０】本発明に係る撮像レンズの第５実施例を示す概略構成図
【図１１】図１０に示す撮像レンズにおける球面収差、非点収差およびディストーションを示す説明図
【図１２】本発明に係る撮像レンズの第６実施例を示す概略構成図
【図１３】図１２に示す撮像レンズにおける球面収差、非点収差およびディストーションを示す説明図
【図１４】本発明に係る撮像レンズの第７実施例を示す概略構成図
【図１５】図１４に示す撮像レンズにおける球面収差、非点収差およびディストーションを示す説明図
【図１６】本発明に係る撮像レンズの第８実施例を示す概略構成図
【図１７】図１６に示す撮像レンズにおける球面収差、非点収差およびディストーションを示す説明図
【図１８】本発明に係る撮像レンズの第９実施例を示す概略構成図
【図１９】図１８に示す撮像レンズにおける球面収差、非点収差およびディストーションを示す説明図
【図２０】本発明に係る撮像レンズの第１０実施例を示す概略構成図
【図２１】図２０に示す撮像レンズにおける球面収差、非点収差およびディストーションを示す説明図
【図２２】本発明に係る撮像レンズの第１１実施例を示す概略構成図
【図２３】図２２に示す撮像レンズにおける球面収差、非点収差およびディストーションを示す説明図
【図２４】本発明に係る撮像レンズの第１２実施例を示す概略構成図
【図２５】図２４に示す撮像レンズにおける球面収差、非点収差およびディストーションを示す説明図
【図２６】本発明に係る撮像レンズの第１３実施例を示す概略構成図
【図２７】図２６に示す撮像レンズにおける球面収差、非点収差およびディストーションを示す説明図
【図２８】本発明に係る撮像レンズの第１４実施例を示す概略構成図
【図２９】図２８に示す撮像レンズにおける球面収差、非点収差およびディストーションを示す説明図
【図３０】本発明に係る撮像レンズの第１５実施例を示す概略構成図
【図３１】図３０に示す撮像レンズにおける球面収差、非点収差およびディストーションを示す説明図
【図３２】本発明に係る撮像レンズの第１６実施例を示す概略構成図
【図３３】図３２に示す撮像レンズにおける球面収差、非点収差およびディストーションを示す説明図
【図３４】本発明に係る撮像レンズの第１７実施例を示す概略構成図
【図３５】図３４に示す撮像レンズにおける球面収差、非点収差およびディストーションを示す説明図
【図３６】本発明に係る撮像レンズの第１８実施例を示す概略構成図
【図３７】図３６に示す撮像レンズにおける球面収差、非点収差およびディストーションを示す説明図
【図３８】本発明に係る撮像レンズの第１９実施例を示す概略構成図
【図３９】図３８に示す撮像レンズにおける球面収差、非点収差およびディストーションを示す説明図
【図４０】本発明に係る撮像レンズの第２０実施例を示す概略構成図
【図４１】図４０に示す撮像レンズにおける球面収差、非点収差およびディストーションを示す説明図
【図４２】本発明に係る撮像レンズの第２１実施例を示す概略構成図
【図４３】図４２に示す撮像レンズにおける球面収差、非点収差およびディストーションを示す説明図
【図４４】本発明に係る撮像レンズの第２２実施例を示す概略構成図
【図４５】図４４に示す撮像レンズにおける球面収差、非点収差およびディストーションを示す説明図
【図４６】本発明に係る撮像レンズの第２３実施例を示す概略構成図
【図４７】図４６に示す撮像レンズにおける球面収差、非点収差およびディストーションを示す説明図
【符号の説明】
【０１７５】
１  撮像レンズ
２  第１レンズ
３  第２レンズ
４  第３レンズ
５  絞り
６  第４レンズ
【図１】
2007206516.tif 000003
【図２】
2007206516.tif 000004
【図３】
2007206516.tif 000005
【図４】
2007206516.tif 000006
【図５】
2007206516.tif 000007
【図６】
2007206516.tif 000008
【図７】
2007206516.tif 000009
【図８】
2007206516.tif 000010
【図９】
2007206516.tif 000011
【図１０】
2007206516.tif 000012
【図１１】
2007206516.tif 000013
【図１２】
2007206516.tif 000014
【図１３】
2007206516.tif 000015
【図１４】
2007206516.tif 000016
【図１５】
2007206516.tif 000017
【図１６】
2007206516.tif 000018
【図１７】
2007206516.tif 000019
【図１８】
2007206516.tif 000020
【図１９】
2007206516.tif 000021
【図２０】
2007206516.tif 000022
【図２１】
2007206516.tif 000023
【図２２】
2007206516.tif 000024
【図２３】
2007206516.tif 000025
【図２４】
2007206516.tif 000026
【図２５】
2007206516.tif 000027
【図２６】
2007206516.tif 000028
【図２７】
2007206516.tif 000029
【図２８】
2007206516.tif 000030
【図２９】
2007206516.tif 000031
【図３０】
2007206516.tif 000032
【図３１】
2007206516.tif 000033
【図３２】
2007206516.tif 000034
【図３３】
2007206516.tif 000035
【図３４】
2007206516.tif 000036
【図３５】
2007206516.tif 000037
【図３６】
2007206516.tif 000038
【図３７】
2007206516.tif 000039
【図３８】
2007206516.tif 000040
【図３９】
2007206516.tif 000041
【図４０】
2007206516.tif 000042
【図４１】
2007206516.tif 000043
【図４２】
2007206516.tif 000044
【図４３】
2007206516.tif 000045
【図４４】
2007206516.tif 000046
【図４５】
2007206516.tif 000047
【図４６】
2007206516.tif 000048
【図４７】
2007206516.tif 000049